(57)【要約】  【課題】  高周波加熱装置のドアスイッチの製作に際して、１つのスイッチケースに複数のスイッチを組込んでユニット化することにより小型化が可能になり、またスイッチの部品点数を削減することにより低コスト化及び省スペース化が可能になる。さらに、本体内部でのスイッチ取付け方向の自由度を高めて配線作業の能率を飛躍的に向上する。  【解決手段】  傾動レバーの傾動時に、導電接点片を弾性変位させて接点部間を切換える第１スイッチと、前記レバーの傾動時に、第１スイッチの接点部間を切換えるタイミングとは若干異なる別のタイミングで別の導電接点片を弾性変位させて接点部間を切換える第２スイッチとをスイッチケース内部に備える。  【選択図】  図８
2006029711.tif 000002
【特許請求の範囲】
【請求項１】
食品を収納して加熱する加熱室と、前記加熱室に高周波を供給する高周波発生装置と、前記加熱室の開口面に対向し、内部にスライド許容して保持され、両端に第１押子と第２押子を持つドアキーを有する開閉自在なドアと、前記加熱室の加熱を行うための電源回路が導通するように、前記ドアの開閉に連動して、前記第１押子と第２押子を介して、時間差を付けてスイッチング操作される３個のスイッチと、を有する高周波加熱装置において、
前記加熱室の側方内部の前記第１押子と対応する位置に、スイッチ取付板を設置し、該スイッチ取付板に傾動レバーを傾動自由に軸支し、該傾動レバーの一端部には、スイッチング操作用の第１カムと第２カムとを設け、該レバーの他端部には、前記ドアに取付けられた第１押子と対応するレバー受圧部を設け、
前記第１カム側に向けて並列配置され、前記傾動レバーの傾動時に前記第１カムに押圧されて弾性変位する第１導電接点片が第２導電接点片に接触して接点部間を切換える第１スイッチと、
前記第２カム側に向けて並列配置され、前記傾動レバーの傾動時に、前記第１スイッチの接点部間を切換えるタイミングとは異なる別のタイミングで、該第２カムが第３導電接点片に接していた第４導電接点片を押して離間させることにより接点部間を切換える第２スイッチを設け、
前記第２押子と対応する位置の前記スイッチ取付板には該第２押子に押下されてスイッチング操作される第３スイッチを設けた
高周波加熱装置。
【請求項２】
前記第１スイッチと第２スイッチとを内蔵するとともに、これらのスイッチに傾動レバーの第１カムと第２カムとを臨ませて該傾動レバーを取付ける取付け用の開口部を備えたスイッチケースを独立して設け、
前記傾動レバーの取付け角度を変えることに基づいてスイッチ取付板に搭載されるスイッチケースの取付け角度を変更許容して設けた
請求項１記載の高周波加熱装置。
【請求項３】
前記傾動レバーは該レバーを軸支する軸支部からレバー外端部までの距離を長くとり、軸支部からレバー内端部までの距離を短くとって、前記傾動レバーの軸支部を傾動支点とするレバー外端部側のレバー比をレバー内端部側のレバー比よりも大きく設定した
請求項１〜２記載のいずれかの高周波加熱装置。
【請求項４】
前記傾動レバーを傾動自由に前記スイッチ取付板に軸支して一体的に連結してなるスイッチユニットを構成した
請求項１〜３記載のいずれかの高周波加熱装置。
【請求項５】
前記スイッチ取付板はケース本体とケースカバーとを着脱可能に組合せて構成し、前記ケース本体と同形状の凹部を、前記スイッチ取付板のスイッチケース取付け面に形成した
請求項１〜４記載のいずれかの高周波加熱装置。
【請求項６】
前記スイッチケースはケース本体とケースカバーとを着脱可能に組合せて構成し、前記ケースカバーと同形状のカバー部を、前記スイッチ取付板のスイッチケース取付け面に形成した
請求項１〜４記載のいずれかの高周波加熱装置。
【請求項７】
前記第１押子の動作に連動し前記加熱室側方に位置するスイッチ取付板に装着された傾動レバーを介して動作する信号スイッチと、
前記ドアの開閉動作に連動し該第２押子に直接押されて動作するメインスイッチと、
を備え、前記信号スイッチは前記傾動レバーを介して動作するショートスイッチを内蔵した
請求項１〜６記載のいずれかの高周波加熱装置。
【請求項８】
前記傾動レバーを介して動作する前記信号スイッチと、前記ショートスイッチを内蔵したスイッチユニットは、前記加熱室のドアが開状態の場合、前記信号スイッチの接点がオフで、且つ前記ショートスイッチの接点がオン状態であり、前記加熱室のドアが閉じられると、前記傾動レバーの第１カムが前記ショートスイッチの可動接点部を押圧することで、前記ショートスイッチがオンからオフされた後に、該傾動レバーの第２カムが前記信号スイッチの可動接点部を押圧してオンする構成としたことを特徴とする
請求項７記載の高周波加熱装置。
【請求項９】
前記スイッチユニットは、前記スイッチ取付板と、前記信号スイッチの接点部及び前記ショートスイッチの接点部を覆うスイッチカバーと、からなり、前記スイッチ取付板には、前記メインスイッチが装着され、且つ前記スイッチ取付板上に前記傾動レバーの回転軸を設け、前記回転軸に前記傾動レバーを挿入し、前記スイッチカバーで保持する構成としたことを特徴とする
請求項８記載の高周波加熱装置。
【発明の詳細な説明】
【技術分野】
【０００１】
この発明は、ドアの開閉に連動してスイッチング操作される複数のスイッチを１つのスイッチケースに効率よく組込んで小型化及びスイッチの切換え性能の向上を図った高周波加熱装置に関する。
【背景技術】
【０００２】
以下、高周波加熱装置を例にとって説明する。高周波加熱装置を使用したときのドアの開閉操作に関しては人体に危険が及ばないように高い安全性が求められ、通常、安全規格上、ラッチスイッチ、ドアスイッチ、ショートスイッチ(モニタスイッチ)との３種類のスイッチを内蔵することと、安全なスイッチ性能を確保できるようにラッチスイッチとショートスイッチとは一定の距離を離して配設することが義務付けられている。そして、これらのスイッチに対してはドアの開閉操作に連動させて時間差をつけたスイッチング操作を行わせることにより安全を確保している。
【０００３】
例えば、高周波加熱装置(電子レンジ)の加熱室の前面開口部を開閉するドアの内面に取付けた一対のキースイッチ部(ヘッド部)を持つラッチヘッドを、本体側に取付けたマイクロスイッチなどのスイッチに対向させ、このドアを閉操作した時に、２つのキースイッチ部が本体側に同時に突入して本体内部の配設位置が異なる各スイッチを直接押して、定められたタイミングで１個のスイッチ及びスイッチレバーを介して２次的に作動する２個のスイッチをスイッチング操作する構成である(例えば特許文献１参照)。
【０００４】
ところが、スイッチレバーを介して２次的に作動する２個のスイッチは、該スイッチレバーとの位置関係により、動作タイミングにバラツキが生じやすく。このためにスイッチ毎に手間のかかる取付け調整を要していた。さらに、スイッチやスイッチレバーの取付け位置の調整が不十分の場合、あるいは動作タイミングにバラツキがある場合は、各々のスイッチを動作させるタイミングがズレたり、ドアを勢いよく閉じたときの衝撃動作等でスイッチに過大な力が加わることがあり、このためにスイッチ特性を劣化させる原因を誘起して正常なスイッチの動作が得られなくなるおそれがあった。
【０００５】
このドアスイッチの他の開示技術として、例えば高周波加熱装置のドアの内面に取付けた２つのキースイッチ部を、本体側に対向する各スイッチのレバーや押しボタン(アクチュエータ)にそれぞれ対向させて配設し、ドアの開閉に応じてキースイッチ部及びレバーを介した内部位置のマイクロスイッチを所望のタイミングでスイッチング操作するドアスイッチが知られている(例えば特許文献２〜４参照)。
【０００６】
しかし、この場合は独立して設けられた３個のマイクロスイッチを本体内部の空間にキースイッチ部との対応方向を定めて配置するため、これらの３個のスイッチを取付けるスペースとドアのキースイッチ部や本体側のスイッチレバーを開閉方向に進退及び傾動させるスイッチングスペースとを要してドアスイッチ機構の全体が大型化し、また部品点数が多いためにコスト高になっていた。さらに、３個のマイクロスイッチの取付け方向は、キースイッチ部やスイッチレバーとの対応関係からスイッチの取付け方向に制約を受けて各スイッチの取付け方向が制限されていた。ことに、スイッチの各端子の向きが異方向に向いて揃え難く、配線作業に手間がかかっていた。
【０００７】
【特許文献１】特開２０００−１４５２４４号
【特許文献２】特開平６−５２９７９号
【特許文献３】特開２０００−２２０８３９号
【特許文献４】特開２００１−３１９７６９号
【発明の開示】
【発明が解決しようとする課題】
【０００８】
そこでこの発明は、１つのスイッチケースに複数のスイッチを組込んでユニット化することにより小型化が可能になり、また本体内部での各スイッチの取付け方向の自由度を高めることができる高周波加熱装置を提供することを目的とする。
【課題を解決するための手段】
【０００９】
この発明は、食品を収納して加熱する加熱室と、前記加熱室に高周波を供給する高周波発生装置と、前記加熱室の開口面に対向し、内部にスライド許容して保持され、両端に第１押子と第２押子を持つドアキーを有する開閉自在なドアと、前記加熱室の加熱を行うための電源回路が導通するように、前記ドアの開閉に連動して、前記第１押子と第２押子を介して、時間差を付けてスイッチング操作される３個のスイッチと、を有する高周波加熱装置において、
前記加熱室の側方内部の前記第１押子と対応する位置に、スイッチ取付板を設置し、該スイッチ取付板に傾動レバーを傾動自由に軸支し、該傾動レバーの一端部には、スイッチング操作用の第１カムと第２カムとを設け、該レバーの他端部には、前記ドアに取付けられた第１押子と対応するレバー受圧部を設け、
前記第１カム側に向けて並列配置され、前記傾動レバーの傾動時に前記第１カムに押圧されて弾性変位する第１導電接点片が第２導電接点片に接触して接点部間を切換える第１スイッチと、
前記第２カム側に向けて並列配置され、前記傾動レバーの傾動時に、前記第１スイッチの接点部間を切換えるタイミングとは異なる別のタイミングで、該第２カムが第３導電接点片に接していた第４導電接点片を押して離間させることにより接点部間を切換える第２スイッチを設け、
前記第２押子と対応する位置の前記スイッチ取付板には該第２押子に押下されてスイッチング操作される第３スイッチを設けたことを特徴とする。
【００１０】
この発明によると、１つのスイッチケースに２つのスイッチを組込むことができ、特に１つの傾動レバーの動きに連動させて２つのスイッチをオンオフするスイッチング動作ができる。このため、１つの傾動レバーを２つのスイッチの共通部品として有効利用できるためコンパクトに製作できる。ことに、傾動レバーの内端部に形成した第１カムと第２カムをスイッチング操作部材に兼用させることができるため、傾動レバーは単一の部品でありながらレバー機能とカム機能とを有して、スイッチの部品点数を削減できる。また、部品点数の削減に伴うスイッチの小型化及び低コスト化を図ることができる。
【００１１】
さらに、第１スイッチをオンオフするスイッチング動作と第２スイッチをオンオフするスイッチング動作との動作タイミングを、傾動レバーを傾動操作したときの該レバーの傾動位置に正確に対応させることができる。例えば、傾動レバーの傾動操作時に、先に第１スイッチの接点部間を切換え、その後、少し遅れたタイミングで第２スイッチの接点部間を切換えるように設定できる。
【００１２】
前記導電接点片には弾性を有する板バネの導電片を用いればよく、導電接点片同士の接離に適した任意の弯曲形状あるいは屈曲形状にして、該導電接点片自体に弾性復帰力を持たせることができる。また、第１押子の押下力を受ける傾動レバーの傾動力に連動させて、例えば並列配設された各導電接点片の接点部間を押し拡げて離間させたり、狭めて接触させたり、所望の方向に弾性変位させて接点部間を確実に接離させることができる。また、導電接点片同士を摺接させるように構成すれば、接点部間の焼付き排除性能を得ることができるなど信頼性の高い安定した接点切換え構造が得られる。
【００１３】
また、導電接点片の配設方向に際しても、スイッチケースに並列配設してコンパクトに収納することができる。ことに、傾動レバーの軸支部を中心に形成された各カムに複数の導電接点片の端部を近づけて配設すれば、この軸支部を中心に傾動する該傾動レバーの第１カムと第２カムとを効率よく切換えに適した対応関係を保ちながら導電接点片に対応させることができる。
【００１４】
この発明の別の構成では、前記第１スイッチと第２スイッチとを内蔵するとともに、これらのスイッチに傾動レバーの第１カムと第２カムとを臨ませて該傾動レバーを取付ける取付け用の開口部を備えたスイッチケースを独立して設け、前記傾動レバーの取付け角度を変えることに基づいてスイッチ取付板に搭載されるスイッチケースの取付け角度を変更許容して設けることができる。
【００１５】
この発明によると、傾動レバーの取付け角度を自由に変更して、スイッチ取付板に搭載されるスイッチケースの取付け角度を自由に設定することができる。また取付けに際しては、例えばスイッチ取付板に突出形成した係止爪によってスイッチ取付板にスイッチケースを抱え込むように一体に係合保持することができる。
【００１６】
従って、本体内部の限られた空間において、その配設スペースに無駄がない方向に設定して取付けることができる。さらに、全スイッチの導電接点片や各外端部の突出方向を同方向に揃えさせることができるため端子の配線作業が飛躍的に向上する。ことに、端子の外端部を同方向の同高さに揃えて突出させれば、より一層、配線工数の低減及び配線作業能率の向上を図ることができる。
【００１７】
この発明の別の構成では、前記傾動レバーは該レバーを軸支する軸支部からレバー外端部までの距離を長くとり、軸支部からレバー内端部までの距離を短くとって、前記傾動レバーの軸支部を傾動支点とするレバー外端部側のレバー比をレバー内端部側のレバー比よりも大きく設定して構成することができる。
【００１８】
この発明によると、レバー外端部側のレバー比を大きく設定してあるため、梃子の原理により軸支部を傾動支点とする該レバー外端部側からの傾動操作力が小さくても、レバー内端部側には十分な傾動操作力を伝えることができる。従って、傾動レバーは傾動時の負荷抵抗が小さく、滑らかな動きが得られる。
【００１９】
この発明の別の構成では、前記傾動レバーを傾動自由に前記スイッチケースに軸支して一体的に連結してなるスイッチユニットを構成することができる。
【００２０】
この発明によると、スイッチユニットはスイッチケースと傾動レバーとの２部品を一体化して単品として扱うことができるため、スイッチ取付板への組立が容易になる。また、２部品を単品として予め組立てておくことができるため取扱いや管理も容易になる。
【００２１】
この発明の別の構成では、前記スイッチケースはケース本体とケースカバーとを着脱可能に組合せて構成し、前記ケース本体と同形状の凹部を、前記スイッチ取付板のスイッチケース取付け面に形成することができる。
【００２２】
この発明によると、２つのスイッチを組込むスイッチ収納部としてのケース本体と同形状の凹部をスイッチ取付板に既に形成してあるため、ここにスイッチ構成部品を直接組込むことができ、スイッチ取付板の一部でケース本体を代用できる。そして、この凹部の開放面にケースカバーを取付ければスイッチケースを構成することができる。従って、ケース本体を省略でき、部品点数の削減につながる。
【００２３】
この発明の別の構成では、前記スイッチケースはケース本体とケースカバーとを着脱可能に組合せて構成し、前記ケースカバーと同形状のカバー部を、前記スイッチ取付板のスイッチケース取付け面に形成することができる。
【００２４】
この発明によると、スイッチ取付板にケースカバーと同形状のカバー部が既に形成されているため、ここにケース本体を取付けるだけでスイッチケースを構成することができる。この場合もスイッチ取付板の一部でケースカバーを代用できるため、ケースカバーを省略して部品点数を削減できる。
【００２５】
この発明の他の構成として、前記第１押子の動作に連動し前記加熱室側方に位置するスイッチ取付板に装着された傾動レバーを介して動作する信号スイッチと、前記ドアの開閉動作に連動し該第２押子に直接押されて動作するメインスイッチと、を備え、前記信号スイッチは前記傾動レバーを介して動作するショートスイッチを内蔵したことを特徴とする。
【００２６】
この発明によれば、信号スイッチは、第１押子の動作に連動し、加熱室側方に位置するスイッチ取付板に装着された傾動レバーを介して動作するショートスイッチを内蔵しているために、傾動レバーにより、信号スイッチ及びショートスイッチを異なる時期に作動させることを容易に設定できる。また、信号スイッチ用のマイクロスイッチと、ショートスイッチ用のマイクロスイッチと、を独立して備える必要がなくなって、簡素な構造となるとともに、スペース的にも有利になって省スペース化を図ることができる。
【００２７】
この発明の他の構成として、前記傾動レバーを介して動作する前記信号スイッチと、前記ショートスイッチを内蔵したスイッチユニットは、前記加熱室のドアが開状態の場合、前記信号スイッチの接点がオフで、且つ前記ショートスイッチの接点がオン状態であり、前記加熱室のドアが閉じられると、前記傾動レバーの第１カムが前記ショートスイッチの可動接点部を押圧することで、前記ショートスイッチがオンからオフされた後に、該傾動レバーの第２カムが前記信号スイッチの可動接点部を押圧してオンする構成としたことを特徴とする。
【００２８】
この発明によれば、加熱室のドアが閉じられたときに、傾動レバーの第１カムがショートスイッチの可動接点部を押圧してオフからオンしてから、傾動レバーの第２カムが信号スイッチの可動接点部を押圧してオンするために、ショートスイッチのオフから、信号スイッチのオンまでの間に予め定められた時間を設定することにより、ドアの閉状態が確定されてからでないと、加熱室が作動しないようにできる。
【００２９】
この発明の他の構成として、前記スイッチユニットは、前記スイッチ取付板と、前記信号スイッチの接点部及び前記ショートスイッチの接点部を覆うスイッチカバーと、からなり、前記スイッチ取付板には、前記メインスイッチが装着され、且つ前記スイッチ取付板上に前記傾動レバーの回転軸を設け、前記回転軸に前記傾動レバーを挿入し、前記スイッチカバーで保持する構成としたことを特徴とする。
【００３０】
この場合は、スイッチ取付板に対して、スイッチカバーが装着されることによりスイッチユニットが被覆され、回転軸に対して傾動レバーが挿入されることにより傾動レバーが支持されるために、スイッチ取付板への組み付けのみによる作業になり、それによって、自動組み付けの構造を簡潔にすることができる。
【発明の効果】
【００３１】
この発明によれば、１つのスイッチケースに２つのスイッチを組込むことができ、しかも傾動レバーの動きに連動させて両スイッチの接点部間をそれぞれ切換える共通部品として設けることができるため、部品点数を削減して低コスト化及び小型化を図ることができる。また、傾動レバーの動きに連動する両スイッチの動作タイミングを傾動量によって任意にとれるため、信頼性の高い安定したスイッチの切換え性能が得られ、高周波加熱装置に組込んだ場合に安全性の高いスイッチとして組込むことができる。
【実施例】
【００３２】
この発明の一実施例を以下図面に基づいて説明する。  
図面は高周波加熱装置に用いられるドアスイッチを示し、図１において、このドアスイッチ１１は縦長の基板を起立して設けたスイッチ取付板１２の一壁面にスイッチユニット１３と、マイクロスイッチ(以下ラッチスイッチと称す)ＳＷ１とを取付けて本体側に設置し、これにドアを対向させて構成している。
【００３３】
上述のスイッチユニット１３は、図２にも示すように、スイッチケース１４に緩やかな円弧形状の傾動レバー１５の下端部を組込んで一体に構成し、このスイッチケース１４の内部に後述するショートスイッチＳＷ２とドアスイッチ(シグナルスイッチ)ＳＷ３との両スイッチを並列に組込んでいる。そして、両スイッチを操作するための傾動レバー１５をスイッチケース１４に突出させた状態で、該スイッチケース１４をスイッチ取付板１２の一壁面の上部に取付けている。
【００３４】
このスイッチ取付板１２の一壁面の中間高さ位置には、円筒軸１６を突設している。この円筒軸１６をスイッチユニット１３の取付け方向に貫通して設けた軸支孔１７に挿通させた状態で、スイッチ取付板１２の一壁面の上部に突出する数個の係止爪１８ａにて、該スイッチユニット１３の外周囲に突出する数個の係止突起１８ｂを係止している。これによりスイッチユニット１３をスイッチ取付板１２に位置決め固定して一体に取付けている。
【００３５】
また、スイッチ取付板１２の一壁面の上部と下部には、前記傾動レバー１５が傾動する範囲を避けた位置に上円筒軸１９ａと下円筒軸１９ｂとを突設し、これら上下の円筒軸１９ａ，１９ｂの穴部をベース固定用の螺着軸孔に用いてスイッチ取付板１２を高周波加熱装置の図示しない筐体に固定する。
【００３６】
上述の傾動レバー１５は下端部が、後述するスイッチケース１４の内部に組込まれて傾動自由に軸支され、この内部の軸支部を傾動支点に、該レバー上端部のレバー受圧面２０がドアを閉じたときの後述するドアキーからの外力を受けて傾動される。この軸支部を傾動支点に傾動したとき、該レバー１５の下端面に形成した後述する第１カムと第２カムが対応するそれぞれのスイッチＳＷ２，ＳＷ３のスイッチング操作を行う。
【００３７】
一方、ラッチスイッチＳＷ１は長方体状を有してスイッチ取付板１２の下部の一壁面に取付けられる。このラッチスイッチＳＷ１の取付けに際しては、スイッチ取付板１２の一壁面に突出する一対の取付け軸２１に、該ラッチスイッチＳＷ１に設けた一対の貫通孔２２を貫通させて軸支し、また上下一対の係合爪２３にてラッチスイッチＳＷ１をスイッチ取付板１２に一体に係合固定して取付けている。
【００３８】
さらに、スイッチ取付板１２の正面側の上部と下部には、後述するドアキー（図８参照）と対応してスイッチング操作力を受けるための上導入口２４と下導入口２５とを開口している。
【００３９】
このうち、上導入口２４へはドアが閉じられたときに、そのドアからの閉操作力がドアキーを介して内部の傾動レバー１５に伝達され、これに基づいてスイッチユニット１３の内部の両スイッチＳＷ２，ＳＷ３がスイッチング操作される。これに対し、下導入口２５へは外部からの操作力が直接、ラッチスイッチＳＷ１の押しボタン２６を押すことによりスイッチング操作される。
【００４０】
図３はスイッチユニット１３の外観図を示し、スイッチケース１４に傾動レバー１５の下端部を組込んで一体に設けている。
【００４１】
この場合、スイッチユニット１３はスイッチケース１４と傾動レバー１５との２部品でありながら単品として扱うことができ、予めスイッチユニット１３を個別に製作しておくことができるため、該スイッチユニット１３ならびにドアスイッチの組立、製作及び管理が容易になるほか品質を選択できる。例えば、ケース本体及びケースカバーを耐熱性に優れた熱硬化性樹脂を用い、スイッチ取付板１２を安価な熱可塑性樹脂を用いるなど樹脂材料別に製作することができる。
【００４２】
このスイッチケース１４の内部は、図４に示すように、傾動レバー１５と、復帰バネ２７と、第１〜第５端子Ｔ１〜Ｔ５と、これらを組込むケース本体２８と、その開口面を覆う平板状のケースカバー２９とから構成される。
【００４３】
上述の傾動レバー１５の基端部には、後述するケース本体２８に組込まれて傾動自由に軸支される軸支孔３０と、該レバー１５を待機位置に付勢支持する環状の復帰バネ２７を取付けるバネ取付け部３１と、スイッチング操作用の第１カムＣ１と第２カムＣ２とを有している。
【００４４】
ケース本体２８は、片面を開放した凹部内面の上部の側面を一部レバー取付け用に開口し、その開口部３２と対向する凹部内面にレバー枢支孔３３を開口し、このレバー枢支孔３３に傾動レバー１５の基端部に突出する図示しない軸支部を挿通して傾動自由に取付け、このレバー枢支孔３３を傾動支点に傾動レバー１５はスイッチング操作可能な１５〜２０度程度の少ない傾動範囲で傾動する。
【００４５】
次に、スイッチユニット１３の内部構造について具体的に説明する。  
図５及び図６はケース本体２８への組込み状態を示し、このケース本体２８は中央部を上下方向に延びる仕切り板３４で仕切って左右に空洞部３５，３６を有し、これらの空洞部３５，３６にドアスイッチＳＷ３とショートスイッチＳＷ２とを、この順に並列配置している。また、その上方に傾動レバー１５の第２カムＣ２と第１カムＣ１を対応させている。
【００４６】
先ず、ドアスイッチＳＷ３は、第１端子Ｔ１と、第２端子Ｔ２と、第２カムＣ２とから構成され、ケース本体２８の下部一側(図中左側)に形成した圧入溝２８ａ，２８ｂに細長い直板状の導電性の板バネ片を用いた第１、第２端子Ｔ１，Ｔ２の下部を圧入固定している。これら２個の端子Ｔ１，Ｔ２はケース本体２８の下面より配線用に外端部を整列して突出させ、内端部を接点用にケース本体２８の内方の空洞部３５に略平行状態に対峙させて取付けている。そして、第１端子Ｔ１の内端部には、前記第２カムＣ２が対向し、該第２カムＣ２の動きに応じて第１端子Ｔ１の内端部(自由端)側を第２端子Ｔ２の内端部(自由端)側に接触または離間させてオンオフする接点切換え構造を有している。
【００４７】
ショートスイッチＳＷ２は、第３端子Ｔ３と、第４端子Ｔ４と、第５端子Ｔ５と、第１カムＣ１とから構成され、ケース本体２８の下部他側(図中右側)に形成した圧入溝２８ｃ〜２８ｅに細長い直板状の導電性の板バネ片を用いた第３〜第５端子Ｔ３〜Ｔ５を圧入固定している。これら３個の端子Ｔ３〜Ｔ５はケース本体２８の下面より配線接続用に外端部を整列して突出させ、内端部を接点用にケース本体２８の内方の空洞部３６に略平行状態に臨ませている。
【００４８】
さらに、仕切り板３４よりショートスイッチＳＷ２側の空洞部３６に端子保持片３７を延設し、この端子保持片３７の圧入溝２８ｆに第３端子Ｔ３の内端部を圧入固定している。この第３端子Ｔ３の内端部側に、内端部を階段状に屈曲形成した第４端子Ｔ４の屈曲部Ｔ４１を接触させている。そして、この屈曲部Ｔ４１の自由端側に第１カムＣ１が対応し、該第１カムＣ１の動きに応じて第４端子Ｔ４の自由端側を第３端子Ｔ３より離間させた後、第５端子Ｔ５の自由端側に接触させて接点を切換える接点切換え構造を有している。
【００４９】
このように、第1端子Ｔ１と第４端子Ｔ４は、接点部間を切換える可動端子に該当し、後述する傾動レバー１５の下面に形成された第１カムＣ１及び第２カムＣ２の押圧力を受けて弾性変位する。また、第１〜第５端子Ｔ１〜Ｔ５は、第４端子Ｔ４を除いて同形状を有し、ケース本体２８に圧入して取付ける向きが異なるだけで同一部品であるため共用することができる。
【００５０】
さらに、第１カムＣ１と第２カムＣ２との間の傾動レバー１５にはストッパ溝３８を切欠き形成しており、このストッパ溝３８がその下方に対応する仕切り板３４のストッパ部兼用に設けた頂部３４ａに係止されている。このストッパ溝３８の溝長さによって傾動レバー１５が傾動したときのカムの操作量を設定している。
【００５１】
そして、ケース本体２８の凹部に傾動レバー１５と復帰バネ２７と各端子Ｔ１〜Ｔ５を組込んだ後、ケース本体２８の両側及び頂部に突出する係止突起２８ｇにケースカバー２９の係止爪２９ａを係止させて接続することにより、ケース本体２８の開放面を閉鎖して一体に連結する。
【００５２】
次に、ドアスイッチ１１の接点部間の切換え動作を図７を参照して説明する。  
通常、図７(Ａ)に示すように、傾動レバー１５のレバー受圧面２０が押下されていないときは、傾動レバー１５が復帰バネ２７で付勢されてレバー受圧面２０が押下可能な待機状態にある。このとき、ショートスイッチＳＷ２側は第３端子Ｔ３に第４端子Ｔ４が接触した常閉接点に設定された導通状態にあり、第５端子Ｔ５とは非接触の常開接点に設定された非導通状態にある。
【００５３】
また、ドアスイッチＳＷ３側にあっては、第１端子Ｔ１と第２端子Ｔ２とは非接触の常開接点に設定された非導通状態にある。
【００５４】
レバー受圧面２０が外力を受け始めて、図７(Ｂ)に示すように、傾動レバー１５の初期傾動時に、傾動レバー１５と一体の第１カムＣ１が第４端子Ｔ４の自由端側を押して、第３端子Ｔ３との接点部間を離す方向に弾性変位させる。これにより、第３端子Ｔ３と第４端子Ｔ４との接点部間が離れて非導通になる。その後、同変位方向に対向する第５端子Ｔ５の接点部に第４端子Ｔ４が加圧接触して導通状態になる。
【００５５】
さらに、傾動レバー１５を傾動させると、図７(Ｃ)に示すように、続いて第２カムＣ２が第１端子Ｔ１の自由端側を加圧して弾性変位させる。この弾性変位に基づいて第１端子Ｔ１が対向する第２端子Ｔ２の接点部に加圧接触して導通状態になり、ドアスイッチＳＷ３は閉に切換えられる。
【００５６】
そして、傾動レバー１５の外力が除かれると、傾動レバー１５は復帰バネ２７の復帰力を受けて元の押下待機位置に戻り、両側の弾性変位されていた端子Ｔ１，Ｔ４も同様に弾性復帰して元の位置に戻り、接点部間は、図７(Ａ)に示した元の待機状態に戻る。
【００５７】
このように、並列する一方のショートスイッチＳＷ２と他方のドアスイッチＳＷ３とが、スイッチケース１４内の両側の定位置に配置されるため、取付け位置のバラツキがなくなり、また両側のスイッチＳＷ２，ＳＷ３は傾動レバー１５の動きに伴う一方のショートスイッチＳＷ２の接点切換えタイミングと他方のドアスイッチＳＷ３の接点切換えタイミングを異ならせた任意の接点の切換え構成が容易に得られる。このため、各スイッチに対しては傾動操作に伴う高精度のタイミングで接点部間の切換え操作ができる。
【００５８】
また、１つのスイッチケース１４に２つのスイッチＳＷ２，ＳＷ３を組込むことができるため、共通部品として有効利用でき、コンパクトに製作できる。ことに、傾動レバー１５は単一の部品でありながらレバー機能とカム機能とを有し、しかも１回の傾動操作で双方のスイッチＳＷ２，ＳＷ３をスイッチング操作できる共通部品であるためスイッチの部品点数を削減することができる。
【００５９】
図８はドアスイッチ１１の組込み状態を示し、このドアスイッチ１１は高周波加熱装置のドアと一体のドアキー３９と対向する本体フレーム４０の内側に取付けている。
【００６０】
この場合、本体フレーム４０の上部に開口する縦長の上部窓４１に、同開口形状を有するスイッチ取付板１２の上導入口２４を対応させ、同じく本体フレーム４０の下部に開口する縦長の下部窓４２に、同開口形状を有するスイッチ取付板１２の下導入口２５を対応させている。
【００６１】
そして、上部に開口する上部窓４１に傾動レバー１５のレバー受圧面２０を対向させ、その下部に開口する下部窓４２にラッチスイッチＳＷ１の押しボタン２６を対向させて取付けている。
【００６２】
これらと対向するドアキー３９側の対向面の上部には上部操作ピン４３を、下部には下部操作ピン４４を突設し、ドアの開閉操作に伴って上下部の操作ピン４３，４４が進退してスイッチング操作される。
【００６３】
この場合、ドア閉鎖時のスイッチング操作で、上部操作ピン４３が上導入口２４に挿入され、傾動レバー１５のレバー受圧面２０に操作力を伝える。この操作力は、傾動レバー１５の傾動支点を中心にした回転力に変換され、この傾動レバー１５の傾動する動きに連動して、スイッチケース１４の両側のスイッチＳＷ２，ＳＷ３は正確に接点が切換わる。
【００６４】
前記ドアキー３９側の上部操作ピン４３と下部操作ピン４４は、図９に示すように、ドアキー３９の内部で上下方向にスライド許容して取付けられ、通常は、スライドバネ４５によって下向きに付勢支持されている。また、上部操作ピン４３と下部操作ピン４４はコ形状に一体化され、その屈曲した両端を操作ピンとしてドアキー３９の上下部より突出している。さらに、両操作ピン４３，４４は、それぞれラッチヘッド４３ａ，４４ａを先端に備えており、上下部の導入口２４，２５には、前記ラッチヘッド４３ａ，４４ａを係合保持するためのラッチフック４６，４７をそれぞれ備えている。
【００６５】
そして、図１０(Ａ)に示すように、ドアの閉操作時にドアキー３９とともに両操作ピン４３，４４を上下部の窓４１，４２及び上下部の導入口２４，２５を介して導入したとき、ラッチフック４６，４７の傾斜面を摺動して、傾斜面の頂点に達する。つぎに図１０(Ｂ)に示すように、上部操作ピン４３のラッチヘッド４３ａは傾動レバー１５を押し始め、この傾動レバー１５と一体の第１カムＣ１が傾動支点を中心にして回転し、ショートスイッチＳＷ２をスイッチング操作する。その後、ドアを最後まで閉操作したとき、図１０(Ｃ)に示すように、両操作ピン４３，４４のラッチヘッド４３ａ，４４ａは、上下部のラッチフック４６，４７の頂点を越え、スライドバネ４５の付勢力を受けて下動し、この傾動レバー１５と一体の第２カムＣ２が傾動支点を中心にして回転し、ドアスイッチＳＷ３をスイッチング操作し、同時に下部操作ピン４４によってラッチスイッチＳＷ１の押しボタン２６を押下してスイッチング操作する。
【００６６】
そして、ドアが開けられると、上部操作ピン４３の退避に伴って、傾動レバー１５は復帰バネ２７の復帰力を受けて元の押下待機位置に戻り、ショートスイッチＳＷ２はオフからオンに切換えられ、ドアスイッチＳＷ３はオンからオフに切換えられ、元の待機状態に戻る。同じく、下部操作ピン４４の退避に伴ってラッチスイッチＳＷ１は押しボタン２６の復帰力を受けて元の押下待機位置に戻り、接点部間はオンからオフに切換えられ、元の待機状態に戻る。
【００６７】
ところで、これらのＳＷ１〜ＳＷ３の取付けに際しては、ショートスイッチＳＷ２とドアスイッチＳＷ３との各々の端子Ｔ１〜Ｔ５の外端部と、ラッチスイッチＳＷ１の下面に突出する端子Ｔ６，Ｔ７の外端部とを、同突出方向に揃えている。これにより、端子の向きと位置が配線接続作業に容易な配置構成がとれ、配線工数の低減及び作業能率の向上を図ることができる。
【００６８】
さらに、傾動レバー１５は、レバーを軸支する軸支部からレバー外端部までの距離を長くとり、軸支部からレバー内端部までの距離を短くとって、傾動レバー１５の軸支部を傾動支点とするレバー外端部側のレバー比をレバー内端部側のレバー比よりも大きく設定している。
【００６９】
このため、軸支部を傾動支点とする該レバー外端部側からの傾動操作力は、梃子の原理により小さな力で、レバー内端部側に効率よく傾動操作力を伝えることができる。従って、傾動レバー１５は傾動時の負荷抵抗が小さく、滑らかな動きが得られる。
【００７０】
図１１は高周波加熱装置のドアスイッチの電気回路図を示し、この高周波加熱装置のドアスイッチ１１を構成する各スイッチＳＷ１，ＳＷ２，ＳＷ３の端子は、図に示す如く、高周波加熱装置の回路に接続されている。
【００７１】
図１２はドアスイッチ１１を構成する各ＳＷ１，ＳＷ２，ＳＷ３のタイムチャートを示し、ラッチスイッチＳＷ１とドアスイッチＳＷ３は、高周波加熱装置のドアが開放された押下待機状態のときは開状態を保ち、ドアが閉じられた押下操作時は閉信号が出力される。一方、ショートスイッチＳＷ２はドアが開放されている押下待機状態ＦＰ(フリーポジション)のときは閉状態を保ち(第３端子Ｔ３と第４端子Ｔ４が導通)、ドアが閉じられて押下操作されたときは開となる(第４端子Ｔ４と第５端子Ｔ５が導通)。このときは、例えば出力された信号により高周波加熱装置(電子レンジ)の調理ランプが点灯される。
【００７２】
この高周波加熱装置は、ラッチスイッチＳＷ１及びドアスイッチＳＷ３が閉になったとき、通電して調理可能に作動し、開になったとき作動を停止する。ところが、これらのＳＷ１，ＳＷ３の接点部分に、仮に接点溶着などの不具合が生じると、ドアが開けられてもスイッチＳＷ１，ＳＷ３の接点部間が開にならない場合が発生するおそれがある。このときは、高周波加熱装置の電磁波を出力させて危険になるので最後にショートスイッチＳＷ２の常閉接点が閉になり、電源回路を短絡するためヒューズを溶断して電源を遮断する回路構成を有している。これにより、安全を確保している。
【００７３】
図１３はドアスイッチの他の実施例を示し、このドアスイッチ１３１は、ショートスイッチＳＷ２とドアスイッチＳＷ３とを内蔵したスイッチケース１３２を独立して設けているため、このスイッチケース１３２の取付け角度をスイッチ取付板１３３上の任意の方向に自由に設定して取付けることができる。
【００７４】
例えば、本体内部の限られた空間において、その配設スペースに無駄がない方向に設定して取付けることができる。さらに、全スイッチの導電接点片や各外端部の突出方向を同方向に揃えさせることができるため端子の配線作業が飛躍的に向上する。
【００７５】
図１４はドアスイッチの他の実施例を示し、このドアスイッチ１４１はスイッチ取付板１４２の一壁面に、ケース本体と同凹形状のスイッチ収納部１４３を形成し、このスイッチ収納部１４３にスイッチユニット１４４を構成する復帰バネ１４５と、第１〜第５端子Ｔ１１〜Ｔ１５と、傾動レバー１４６とを組付け、その開口面をケースカバー１４７で閉鎖して一体に組付けるようにしたものである。
【００７６】
この場合は予めスイッチ取付板１４２に形成されたスイッチ収納部１４３にスイッチ構成部品を直接組込んで構成できるため、スイッチ取付板１４２の一部でケース本体を代用できる。この結果、部品点数の削減が図れる。
【００７７】
図１５はドアスイッチの他の実施例を示し、このドアスイッチ１５１はスイッチ取付板１５２の一壁面に、ケースカバーと同形状のカバー部１５３を形成し、このカバー部１５３に、復帰バネ１５４と、第１〜第５端子Ｔ２１〜Ｔ２５と、傾動レバー１５５とを組込んだケース本体１５６に組付けるようにしたものである。
【００７８】
この場合もスイッチ取付板１５２にケースカバーと同形状のカバー部１５３が既に形成されているため、スイッチ取付板１５２の一部でケースカバーを代用できる。そして、ここにケース本体１５６を取付けるだけでスイッチユニットを構成できる。このため、ケースカバーを省略でき、部品点数を削減できる。
【００７９】
上述のように、１つのスイッチケースにショートスイッチとドアスイッチとの２つのスイッチを収納するだけでなく、傾動レバーを介して両スイッチをスイッチング操作することができるため、スイッチケース及び傾動レバーを共通部品として利用できる。この結果、部品点数を削減して低コスト化、省スペース化及び小型化を図ることができる。また、２つのスイッチは、スイッチケース内の定位置に配置するため取付け位置のバラツキがなくなり、また傾動動作に連動してスイッチング操作するため、スイッチ間の動作タイミングが正確であり、信頼性の高い安定したスイッチング操作ができる。
【００８０】
この発明の構成と、上述の実施例の構成との対応において、
この発明の第１スイッチは、実施例のショートスイッチＳＷ２に対応し、
以下同様に、
第２スイッチは、ドアスイッチＳＷ３に対応し、
第３スイッチは、ラッチスイッチＳＷ１に対応し、
第１押子は、上部操作ピン４３に対応し、
第２押子は、下部操作ピン４４に対応し、
レバー受圧部は、レバー受圧面２０に対応し、
第１〜第５導電接点片は、第１〜第５端子Ｔ１〜Ｔ５，Ｔ１１〜Ｔ１５，Ｔ２１〜Ｔ２５に対応するも、この発明は請求項に示される技術思想に基づいて応用することができ、上述の実施例の構成のみに限定されるものではない。
【図面の簡単な説明】
【００８１】
【図１】ドアスイッチの一壁面側を示す外観斜視図。
【図２】ドアスイッチを一壁面側から見た分解斜視図。
【図３】スイッチユニットを示す外観斜視図。
【図４】スイッチユニットの内部構造を示す分解斜視図。
【図５】スイッチユニットの組込み状態を示す斜視図。
【図６】スイッチユニットの内部の接点構造を示す側面図。
【図７】スイッチユニットの接点切換え状態を示す動作説明図。
【図８】ドアキーとドアスイッチの組込み状態を示す要部斜視図。
【図９】ドアキーとドアスイッチとの対応状態を示す要部縦断面図。
【図１０】ドアキーとドアスイッチとの閉対応状態を示す動作説明図。
【図１１】ドアスイッチの電気回路図。
【図１２】ドアスイッチのタイムチャート。
【図１３】他の実施例のスイッチケースの取付け状態を示す側面図。
【図１４】他の実施例のスイッチ取付板にケース本体を代用させた状態を示す分解斜視図。
【図１５】他の実施例のスイッチ取付板にケースカバーを代用させた状態を示す分解斜視図。
【符号の説明】
【００８２】
１１，１３１，１４１，１５１…ドアスイッチ
１３，１４４…スイッチユニット
１４，１３２…スイッチケース
１５，１４６，１５５…傾動レバー
４３，４４…操作ピン
４３ａ，４４ｂ…ラッチヘッド
４６，４７…ラッチフック
Ｃ１，Ｃ２…カム
ＳＷ１…ラッチスイッチ
ＳＷ２…ショートスイッチ
ＳＷ３…ドアスイッチ
１４３…スイッチ収納部
１５３・・・カバー部
【図１】
2006029711.tif 000003
【図２】
2006029711.tif 000004
【図３】
2006029711.tif 000005
【図４】
2006029711.tif 000006
【図５】
2006029711.tif 000007
【図６】
2006029711.tif 000008
【図７】
2006029711.tif 000009
【図８】
2006029711.tif 000010
【図９】
2006029711.tif 000011
【図１０】
2006029711.tif 000012
【図１１】
2006029711.tif 000013
【図１２】
2006029711.tif 000014
【図１３】
2006029711.tif 000015
【図１４】
2006029711.tif 000016
【図１５】
2006029711.tif 000017